(57)【要約】１．高性能Ｖベルト。２．１　いわゆるハイブリッドＶベルト（２）は、少なくとも１つの張力担持体（２６もしくは２６ａ，．．．）と、並びにこの張力担持体に配設されたほぼ台形の横断面を有する多数の支持要素（４）から成る。支持要素は、少なくとも１つの張力担持体（２６；．．．）を包囲するか、又は、それぞれ向かい合っている支持要素（４）の両方の側面（６ａ，６ｂ）の少なくとも１つの側面（６ａ，．．．）内へと、スリット（２４ａ，．．．）は、少なくとも１つの張力担持体（２６ａ，．．．）を収容するための中央の領域の方向に収容されている。ハイブリッドＶベルト（２）の支持要素（４）の半径方向の位置合わせ及び曲率変動に対する抵抗が大きい場合の動的挙動は、改善されるべきである。２．２　本発明によれば、−必ずしもそうではないが−対称な支持要素（４）の形成は、要素（４）の重心Ｓが、少なくとも１つの張力担持体（２６もしくは２６ａ，．．．）の牽引ストランド（２８）によって構成される領域の外側に位置する様式である。好ましくは、重心（Ｓ）が半径方向に見て回転中心から離間するように変位させられている。重心（Ｓ）が半径方向に変位させられる領域は、好ましくは、張力担持体の半径の１倍〜２．５倍に制限される。２．３　特に自動車に応用する際の力閉塞的な出力伝達のためのものである。
2004514100.tif 000002
【特許請求の範囲】
【請求項１】
少なくとも１つの張力担持体（２６；２６ａ，．．．）と、並びにこの張力担持体に配設されたほぼ台形の横断面を有する多数の支持要素（４）とから成るハイブリッドＶベルト（２）であって、その際、支持要素（４）が、少なくとも１つの張力担持体（２６）を包囲するか、又は、それぞれ向かい合っている支持要素（４）の両方の側面（６ａ，６ｂ）の少なくとも１つの側面（６ａ，．．．）へと、スリット（２４ａ，．．．）が、少なくとも１つの張力担持体（２６ａ，．．．）を収容するための中央の領域の方向に収容されているハイブリッドＶベルトにおいて、
少なくとも１つの張力担持体（２６もしくは２６ａ，．．．）における支持要素（４）の形態が、要素（４）の重心（Ｓ）が少なくとも１つの張力担持体（２６もしくは２６ａ，．．．）の牽引ストランド（２８）によって構成される平面の外側に位置する様式であることを特徴とするハイブリッドＶベルト。
【請求項２】
支持要素（４）が、−ベルト長手方向に見て−対称な形を備えることを特徴とする請求項１に記載のハイブリッドＶベルト。
【請求項３】
支持要素（４）が、−ベルト長手方向に見て−非対称な形を備えることを特徴とする請求項１に記載のハイブリッドＶベルト。
【請求項４】
重心（Ｓ）が、−半径方向に見て−回転中心から離間するように変位させられていることを特徴とする請求項１〜３のいずれか１つに記載のハイブリッドＶベルト。
【請求項５】
重心（Ｓ）が半径方向に変位させられる領域が、牽引ストランドの半径の１倍〜２．５倍に制限されるように構成されていることを特徴とする請求項１〜４のいずれか１つに記載のハイブリッドＶベルト。
【請求項６】
重心位置の調節が、それぞれの張力担持体（２６）を収容するための切欠き部を垂直方向に変位させることによって実現されるように構成されていること、又は、重心位置の調節が、−少なくとも１つの張力担持体（２６ａ，．．．）を収容するために−少なくとも１つの側方のスリット（２４ａ，．．．）を垂直方向に変位させることによって得られるように構成されていることを特徴とする請求項１〜５のいずれか１つに記載のハイブリッドＶベルト。
【請求項７】
重心位置の調節が、支持ブロック（４）の下部の部分（１０）に対する上部の部分（８）の容積比を選択することによって得られるように構成されていることを特徴とする請求項１〜６のいずれか１つに記載のハイブリッドＶベルト。
【請求項８】
重心位置の調節が、支持ブロック（４）内へと補強部分（３０）を埋設することによって行なわれるように構成されていることを特徴とする請求項１〜７のいずれか１つに記載のハイブリッドＶベルト。
【請求項９】
支持ブロック（４）内の重心位置が、補強部分（３０）と取り囲むカバーとの比重の比によって得られるように構成されていることを特徴とする請求項１〜８のいずれか１つに記載のハイブリッドＶベルト。
【発明の詳細な説明】
【０００１】
本発明は、高性能Ｖベルト、その上位概念に挙げられた特徴が欧州特許第０　１３５　７１０号明細書及び／又は米国特許第４，５９５，３８７号明細書から公知であるいわゆるハイブリッドＶベルトに関する。
【０００２】
無段階の回転数及び回転モーメントの変化は、特に自動車に応用する場合、高い伝達効率を必要とする。
これまでに公知の（少なくとも）２つのプーリ間の回転運動を伝動するためのベルト装置は、通常、無端の２つの負荷担持体とこれらの負荷担持体上に取り付けられた多数のブロックから成る（例えば、欧州特許第０　１３５　７１０号明細書、欧州特許第０　２１３　６２７号明細書及び欧州特許出願公開第０　９１８　１７３号明細書を参照のこと）。この公知のベルト装置においては、負荷担持体がスリット内へと嵌入されており、これらのスリットは、傾斜したブロックの側面からその中央の領域に向かって延在する。負荷担持体も、またこれらの負荷担持体を収容するスリットも、凸状又は凹状の部分を備え、これにより、負荷担持体の長手方向に相対的に不動の作用状態が得られる。ベルト幅方向には、負荷担持体は支持されない。
【０００３】
米国特許第４，５９５，３８７号明細書からは、包囲する支持要素が公知である。非常に剛性のあるベルトを完全に取り囲む支持要素を保持するために、ベルトを収容した後、この支持要素は、ベルト外側に横断ロッドが形状閉塞的に、相応のそれぞれの支持要素の主部分における収容部内へと挿入されることによって閉鎖されなければならない。
【０００４】
ハイブリッドＶベルトにおいて解決されてない問題は、ベルトの動的安定性と、この安定性と結びついた支持要素の応力とがこれまで考慮されていないでいた点にある。
【０００５】
その典型的に台形の横断面を有する公知の構造様式のハイブリッドＶベルトにおいては、牽引ストランドの平面内の支持要素の重心Ｓが、牽引ストランドの外側の伸びによって制限されている領域内のその半径方向の伸びの幾何学的な中心のごく僅かに外側に存在する。これからは、確かに、張力担持体に対して相対的に中立の支持要素の位置によって占められる曲率変動に対する僅かな抵抗が結果として生じるが、しかしながら、動的な作動においては、半径方向における支持要素の、これと共に周方向における張力担持体の限定された位置合わせが行なわれない。
【０００６】
本発明の課題は、ハイブリッドＶベルトの支持要素の半径方向の位置合わせと、曲率変動に対する抵抗が大きい場合の動的挙動とを改善する点にある。
【０００７】
この課題は、本質的に請求項１の特徴によって解決される。支持要素は、その重心が牽引ストランドによって構成される平面の上で、半径方向に牽引ストランド半径の１倍〜２．５倍に制限される領域内で調節される様式で形成されている。この場合、支持要素は、−ベルト長手方向に見て−必然的に左右対称を備えなる必要はない。
【０００８】
−半径方向に見て−回転中心から大きく離間した所に支持要素の重心Ｓを調節することによって、多数の材料が回転中心から離間した支持要素の領域内に配設された場合、同時に要素の支持作用が高められ、ここでは、軸方向に整向された圧縮力からの曲げ応力が、幅の広い台形の上側における比較的長いレバーアームに基づいて最大である。軸方向の圧縮力の法線方向に作用する割合に対する変形抵抗は、同じままである。逆に僅かな材料が回転中心近傍の領域内に配設されているので、最低限の回転半径が低減され、可能な伝動装置の拡開はシャフト直径が一定である場合に高められる。
【０００９】
支持要素の半径方向の位置合わせは、遠心力によって、支持要素重心を移動させることによって、有効な間隔が張力担持体をガイドする位置と重心との間に提供されることによって改善される。これは、有利なことに、重心に対して張力担持体収容部を半径方向に移動させることにより支持要素における上下の容積割合を変更することによって、又は、ベース材料とは異なる比重を有する補強部分を埋設することによって行なわれる。
【００１０】
以下に、ハイブリッドＶベルトの種々の実施形を、添付した図面を基にして詳細に説明する。
【００１１】
図１ａ，２ａ，３ａ及び４ａは、それぞれ、挿入された１つの（もしくは、図４ａでは２つの）−横断面図に図示された−負荷担持体を有する本発明による支持ブロックを、ベルト長手方向からの正面図に示し、
図１ｂ，２ｂ，３ｂ及び４ｂは、それぞれ、相応の従来技術による支持ブロックを示し、しかも、
図１ａ及び１ｂは、それぞれ、水平方向に分割された２つの部分から成る支持要素を示し、
図２ａ及び２ｂは、それぞれ、垂直方向に分割された２つの部分から成る支持要素を示し、
図３ａ及び３ｂは、それぞれ、非対称の１つの部分から成る支持要素を示し、
図４ａ及び４ｂは、それぞれ、対称の１つの部分から成る支持要素を示す。
【００１２】
図示されたハイブリッドＶベルト２は、それぞれ、ほぼ台形の横断面を有する支持ブロック（支持要素）４を示す。この場合、向かい合っている２つの側面６ａ，６ｂは、これらの側面が（図示されてない）プーリのフランク部に対応する様式で互いに傾斜している。
【００１３】
図１ａ／１ｂ及び２ａ／２ｂに図示された支持要素４は、２つの部分から成り、しかも図１ａ／１ｂによる支持要素は、それぞれ１つの上部部分８及び下部部分１０を備え、これらの部分は、ネジ１２，１４によって結合される。
図２ａ／２ｂによる支持要素４は、左右対称な部分１６，１８を備え、これらの部分は、クランプ２０，２２によって互いに結合されている。
図３ａ／３ｂ及び４ａ／４ｂに図示された支持要素４は１つの部分から成る。
図１ａ／１ｂ、２ａ／２ｂ及び３ａ／３ｂによる支持ブロック４は、それぞれ１つの負荷担持体２６を備えている。
【００１４】
図４ａ及び４ｂによれば、それぞれ向かい合っている両方の側面６ａ，６ｂにそれぞれ１つのスリット２４ａもしくは２４ｂが収容されている。これらの両方のスリット２４ａ，２４ｂは、側面６ａ，６ｂからブロック４の中央の領域の方向に延在する。支持ブロック４は、負荷担持体（張力担持体）２６ａ，２６ｂを備えており、これらの負荷担持体は、側方のスリット２４ａ，２４ｂ内へと挿入されている。
負荷担持体２６もしくは２６ａ，２６ｂ内には、無端の牽引ストランド２８が埋設されている。
【００１５】
従来技術によるこのようなハイブリッドＶベルト２の実施形によれば、支持ブロック４の重心Ｓは、牽引ストランド２８の領域内に存在する（図１ｂ，２ｂ，３ｂ及び４ｂ）。
本発明によれば、−必ずしもそうではないが−対称な支持要素４の形成は、要素４の重心Ｓが、牽引ストランド２８によって構成される領域の上に位置する（図１ａ，２ａ，３ａ及び４ａ）様式である。即ち、本発明によれば、重心Ｓは、半径方向に見て回転中心から離間するように変位させられている。これにより、半径方向の位置合わせは、遠心力によって支援される。また、比較的大きい横断面も最大の曲げ応力の領域内で得られ、そして、比較的僅かな回転半径を調節するための可能性も得られる。これにより、可能な伝動装置の拡開は改善される。
【００１６】
図１ａでは、重心が半径方向に外に向かって移動させられている。何故なら、支持要素の半径方向に見て外側の上部の部分が、下部の部分よりも大きな密度の材料から製造されているからである。
【００１７】
垂直に分割された支持要素の図２ａ内の図は、半径方向に内側に置かれた支持要素の領域内の切欠き部によって半径方向に外に向かう重心の変位を示し、この支持要素においては、クランプと結合された両方の部分が、分離接合面の対称線を中心として戻されている。
【００１８】
図３ａでは、重心の移動が、支持要素の上部の部分内に高い比重の補強部分が埋設されており、この比重が同時に変形抵抗を増大させることによって、外に向かって調節される。
更に、重心の位置の調節は、張力担持体を収容するための切欠き部もしくは張力担持体２６ａ，２６ｂを収容するための特有のスリット２４ａ，２４ｂを垂直に変位させることによって実現することができ（図４ａ）、従って、上部の容積割合は、下部の容積割合に対する超過荷重を生じさせる。
【図面の簡単な説明】
【図１ａ】
挿入された１つの−横断面図に図示された−負荷担持体を有する本発明による支持ブロックを、水平方向に分割された２つの部分から成る支持要素と共に、ベルト長手方向からの正面図に示す。
【図１ｂ】
相応の従来技術による支持ブロックを、水平方向に分割された２つの部分から成る支持要素と共に示す。
【図２ａ】
挿入された１つの−横断面図に図示された−負荷担持体を有する本発明による支持ブロックを、垂直方向に分割された２つの部分から成る支持要素と共に、ベルト長手方向からの正面図に示す。
【図２ｂ】
相応の従来技術による支持ブロックを、垂直方向に分割された２つの部分から成る支持要素と共に示す。
【図３ａ】
挿入された１つの−横断面図に図示された−負荷担持体を有する本発明による支持ブロックを、非対称の１つの部分から成る支持要素と共に、ベルト長手方向からの正面図に示す。
【図３ｂ】
相応の従来技術による支持ブロックを、非対称の１つの部分から成る支持要素と共に示す。
【図４ａ】
挿入された２つの−横断面図に図示された−負荷担持体を有する本発明による支持ブロックを、対称の１つの部分から成る支持要素と共に、ベルト長手方向からの正面図に示す。
【図４ｂ】
相応の従来技術による支持ブロックを、対称の１つの部分から成る支持要素と共に示す。
【符号の説明】
２　　　　　　　　　　　ハイブリッドＶベルト
４　　　　　　　　　　　支持ブロック、ブロック、支持要素、要素
６ａ，６ｂ　　　　　　　支持要素４の側面
８　　　　　　　　　　　支持要素４の上部部分
１０　　　　　　　　　　支持要素４の下部部分
１２，１４　　　　　　　ネジ
１６，１８　　　　　　　支持要素４の左右対称な部分
２０，２２　　　　　　　クランプ
２４ａ，２４ｂ　　　　　スリット
２６，２６ａ，２６ｂ　　負荷担持体、張力担持体
２８　　　　　　　　　　牽引ストランド
Ｓ　　　　　　　　　　　支持要素４の重心
３０　　　　　　　　　　補強部分
【国際公開パンフレット】
2004514100.tif 000003
2004514100.tif 000004
2004514100.tif 000005
2004514100.tif 000006
2004514100.tif 000007
2004514100.tif 000008
2004514100.tif 000009
2004514100.tif 000010
2004514100.tif 000011
2004514100.tif 000012
2004514100.tif 000013
2004514100.tif 000014
2004514100.tif 000015
【国際調査報告】
2004514100.tif 000016
2004514100.tif 000017
2004514100.tif 000018
2004514100.tif 000019
2004514100.tif 000020
2004514100.tif 000021